(57)【特許請求の範囲】
【請求項１】
高所から墜落した作業者等を保護するための防護ネットの施工方法であって、
作業者等を受け止めるための略矩形のネット部と、当該ネット部の横方向両縁に当該両縁に沿って延びる姿勢で固定されて前記ネット部を支持する一対の支持部材とを備えた防護ネットを当該防護ネットの張設場所付近に搬入する工程と、
前記各支持部材に当該支持部材の長手方向に所定の間隔をおいて複数の吊りロープの一方の端部を固定する工程と、
前記各吊りロープを挿通可能な複数の滑車を前記防護ネットの張設場所の近傍に固定する滑車固定工程と、
前記吊りロープの他方の端部を前記滑車に挿通するロープ挿通工程と、
作業者が人力で前記滑車に挿通された吊りロープの他方端部側を引き下げて、前記滑車を介して前記各支持部材を引き上げ、当該支持部材に固定された前記ネット部を前記張設場所に吊り上げる防護ネット吊り上げ工程と、
前記吊りロープを固定し、前記防護ネットを前記吊りロープによって吊り下げることで前記張設場所に張設する吊りロープ固定工程とを備え、
前記滑車は、挿通されたロープの所定の方向への移動を許容する一方、前記所定の方向と逆方向への移動を規制する規制部を有し、
前記吊りロープ固定工程では、前記規制部によって前記吊りロープが固定され、
前記防護ネットをその張設場所に搬入する工程では、搬入前に予め前記支持部材に前記ネット部を巻きつけておき、この支持部材にネット部が巻きつけられた状態で前記防護ネットを前記張設場所に搬入するとともに、この張設場所において当該防護ネットを展開することを特徴とする防護ネットの施工方法。
【請求項２】
請求項１に記載の防護ネットの施工方法であって、
前記ロープ挿通工程が前記滑車固定工程の前に実施されることを特徴とする防護ネットの施工方法。
【請求項３】
請求項１または２に記載の防護ネットの施工方法であって、
前記ネット部は、その網糸に沿って縦方向に編みこまれた縦補強ロープと、その網糸に沿って横方向に編みこまれた横補強ロープとを備え、
前記縦補強ロープと横補強ロープとが互いに異なる色を有していることを特徴とする防護ネットの施工方法。
【発明の詳細な説明】
【技術分野】
【０００１】
本発明は、工事現場等において高所から墜落した作業者等を保護するための防護ネットの施工方法に関する。
【背景技術】
【０００２】
屋根のスレート修繕作業等のような高所での作業においては、作業者が誤って墜落した場合に、この墜落した作業者と地面等との衝突を回避するために、屋根の下方部等に防護ネットを取り付けることが望まれている。
【０００３】
例えば、特許文献１には、防護ネットを設置する高所にワイヤーロープを張り巡らし、このワイヤーロープに開閉可能なリングフックを挿入し、このリングフックに防護ネットを固定することで防護ネットを高所に取り付ける方法が開示されている。この方法では、リングフックを前記ワイヤーロープに対して摺動させることで防護ネットを所定の領域に張設あるいはその領域から撤去することができる。そのため、一旦、前記ワイヤーロープを張り巡らせ、このワイヤーロープにフックを挿入し、このリングフックに防護ネットを固定してしまえば、防護ネットを所定の領域に短時間で張設することができるとともに所定の領域から短時間で撤去することができる。
【特許文献１】特開平６−３２２９９６号公報
【発明の開示】
【発明が解決しようとする課題】
【０００４】
しかしながら、前記方法では、最初に前記ワイヤーロープ等を設置せねばならず、設置の初期において手間がかかる。これに対して、電車が通過しないわずかな時間で全ての作業を完了せねばならない駅舎の修繕作業等では、防護ネットを張設するのにかかる全ての作業時間の短縮化が求められており、前記方法では十分に作業時間を短縮することができない。また、前記特許文献１に記載の方法では、防護ネットを張設するための前記ワイヤーロープを張り巡らす作業、ワイヤーロープにリングフックを挿入する作業、このワイヤーロープに挿入されたリングフックに防護ネットを固定する作業、および、各リングフックを摺動させて防護ネットを張設する作業全てを高所で実施せねばならない。そのため、高所での作業時間が長くなり高所作業を実施できる特殊な作業員の確保が必要となる。
【０００５】
本発明は、かかる事情に鑑み、高所での作業時間を短縮しつつ防護ネットの設置にかかる全作業時間を短時間で行うことのできる防護ネットの施工方法の提供を目的とする。
【課題を解決するための手段】
【０００６】
前記課題を解決するための請求項１に係る発明は、高所から墜落した作業者等を保護するための防護ネットの施工方法であって、作業者等を受け止めるための略矩形のネット部と、当該ネット部の横方向両縁に当該両縁に沿って延びる姿勢で固定されて前記ネット部を支持する一対の支持部材とを備えた防護ネットを当該防護ネットの張設場所付近に搬入する工程と、前記各支持部材に当該支持部材の長手方向に所定の間隔をおいて複数の吊りロープの一方の端部を固定する工程と、前記各吊りロープを挿通可能な複数の滑車を前記防護ネットの張設場所の近傍に固定する滑車固定工程と、前記吊りロープの他方の端部を前記滑車に挿通するロープ挿通工程と、作業者が人力で前記滑車に挿通された吊りロープの他方端部側を引き下げて、前記滑車を介して前記各支持部材を引き上げ、当該支持部材に固定された前記ネット部を前記張設場所に吊り上げる防護ネット吊り上げ工程と、前記吊りロープを固定し、前記防護ネットを前記吊りロープによって吊り下げることで前記張設場所に張設する吊りロープ固定工程とを備え、前記滑車は、挿通されたロープの所定の方向への移動を許容する一方、前記所定の方向と逆方向への移動を規制する規制部を有し、前記吊りロープ固定工程では、前記規制部によって前記吊りロープが固定され、前記防護ネットをその張設場所に搬入する工程では、搬入前に予め前記支持部材に前記ネット部を巻きつけておき、この支持部材にネット部が巻きつけられた状態で前記防護ネットを前記張設場所に搬入するとともに、この張設場所において当該防護ネットを展開することを特徴とするものである（請求項１）。
【０００７】
本発明によれば、張設場所付近の作業場所において、支持部材にネット部が巻きつけられた状態で搬入された防護ネットを展開し、前記支持部材に吊りロープを固定し、防護ネットの張設場所の近傍に滑車を固定してこの滑車に前記吊りロープを挿通し、この吊りロープを所定の位置まで引き下げるという簡単な作業で防護ネットを張設場所に張設することができ、張設場所付近の作業場所での作業時間を短縮することができる。
具体的には、防護ネットが支持部材の周囲にネット部が巻きつけられた状態で搬入されることでこの搬送時にネット部が絡むのが抑制されるため、作業場所においてネット部を容易に展開することができ、作業時間を確実に短縮することができる。また、ネット部の縦横方向を容易に判別することができ、この判別のための時間を短縮することができる。また、前記支持部材を吊り上げることで、前記ネット部を、その弛みを抑制しつつ容易に張設することができるため、ネット部に直接吊りロープを固定して吊り上げる場合に比べて、ネット部を吊り上げる箇所を減少させることができ、前記吊りロープの吊り上げおよび固定に要する作業時間を短縮することができる。また、前記滑車の規制部により吊りロープが吊り下げ位置で固定されるため、特殊なロープワークを用いずに前記吊りロープを容易に固定することができ、より一層作業時間を短縮することができる。また、前記吊りロープの固定を解除するだけで防護ネットを前記張設場所付近から容易に撤去することができ、防護ネットの撤去作業の時間を短縮することができる。
しかも、この方法によれば、高所で実施せねばならない作業は滑車の固定作業と滑車への吊りロープの挿通作業のみであり、高所作業の時間を短縮化することができる。そのため、作業効率の向上とともに高所作業のための特殊な作業員を削減することができコスト面で有利となる。
さらに、前記支持部材が作業者等の墜落による衝撃を受け止めるとともに、支持部材が前記衝撃を分散させるので、作業者と地面との衝突がより確実に回避されるとともに、ネット部の破損を抑制することができる。
本発明において、前記ロープ挿通工程が前記滑車固定工程の前に実施されるのが好ましい（請求項２）。
また、本発明において、前記ネット部は、その網糸に沿って縦方向に編みこまれた縦補強ロープと、その網糸に沿って横方向に編みこまれた横補強ロープとを備え、前記縦補強ロープと横補強ロープとが互いに異なる色を有しているのが好ましい（請求項３）。
このようにすれば、ネット部の縦横方向をより一層容易に判別することができ、この判別のための時間をさらに短縮することができる。
【発明の効果】
【００１４】
以上説明したように、本発明によれば、高所での作業時間を短縮しつつ全体の作業時間を短縮することができる防護ネットの施工方法を提供することができる。
【発明を実施するための最良の形態】
【００１５】
以下、本発明の好ましい実施の形態について図面を参照して説明する。
【００１６】
本発明に係る防護ネット１０は、高所にある作業場所と地面等との間に取り付けられて、誤って墜落した作業員等と地面等との衝突を防止し、作業員等を保護するためのものである。ここでは、図１に示すように、駅舎１００において、ホーム１１０の上方に設けられた屋根１２０のスレートの葺き替え作業の実施に伴い、前記屋根１２０の下方に防護ネット１０を取り付ける場合について説明する。
【００１７】
ここで、前記ホーム１１０上には図１等に示すように、ベンチ１４０やゴミ箱１４２といったものが設置されている。そのため前記防護ネット１０としては、作業員と前記ゴミ箱１４０等との衝突を回避可能なものを用いる必要がある。具体的には、前記屋根１２０と前記ゴミ箱１４０等との距離は２ｍ程度であるので、図１に示す作業員等の荷重による防護ネット１０の最大垂れ変位Ｌが１ｍ程度に収まるものを用いる必要がある。しかしながら、通常、防護ネットとして用いられるネットは前記垂れ変位Ｌが３ｍ程度のものが主流であり、このような防護ネットでは前記ホーム１１０上での作業において作業者等を十分に保護することができない。
【００１８】
そこで、本実施形態では、図３に示すような防護ネット１０を用いる。この防護ネット１０は、作業員等を受け止めるためのネット部１２と、２本の単管（支持部材）１５とを有している。
【００１９】
前記ネット部１２は、図４の（ａ）に示すように、網糸１２ａが直線的に伸びる略正方形の無結節網であり、ラッセル網等に比べて荷重に対する伸びすなわち前記垂れ変位が抑制されるように構成されている。また、このネット部１２は、その網目の形状が角目であってより一層前記伸びが抑制されている。
【００２０】
さらに、前記ネット部１２には、図４の（ｂ）に示すように、複数の横補強ロープ１３ａおよび縦補強ロープ１３ｂが前記網糸１２ａに沿って編みこまれている。具体的には、前記横補強ロープ１３ａはネット部１２の横方向両縁とこの両縁間において互いに平行に複数本設けられており、前記縦補強ロープ１３ｂはネット部１２の縦方向両縁とこの両縁間において互いに平行に、かつ、前記横補強ロープ１３ｂと直交するように複数本設けられている。そして、これら補強ロープ１３ａ，１３ｂは、前記ネット部１２の網糸１２ａの変位を規制し、ネット部１２の垂れ変位をより一層抑制する。一方、これら補強ロープ１３ａ，１３ｂは、図４の（ｃ）に示すように、隣合う網糸１２ａの上方と下方とを交互に通るようにしてネット部１２に編みこまれているとともに、各長さが前記ネット部１２の縦横方向の各長さよりもそれぞれ所定量長くなるように設定されており、ネット部１２の垂れをある程度許容して墜落時の衝撃を吸収する。また、本実施形態では、作業効率を向上すべく、防護ネット１０の縦横方向が容易に判別できるように、前記縦補強ロープ１３ｂの色と横補強ロープ１３ａの色とを異ならせている。
【００２１】
前記単管１５は、アルミ製のパイプである。各単管１５は、前記ネット部１２の所定の方向の両縁に沿ってこのネット部１２に固定されている。各単管１５は、ネット部１２を支持してネット部１２の弛みを低減するとともに、ネット部１２に加えられた衝撃を分散させてネット部１２の垂れ変位を抑制し、かつ、ネット部１２の破損等を抑制する。さらに、各単管１５はネット部１２とともに前記衝撃を吸収して墜落した作業員等に加えられる損傷を抑制する。
【００２２】
各単管１５は、前記ネット部１２の縁部に取り付けられたリング状の複数の綿ロープ１４に挿入されることで、ネット部１２の縁部に固定されている。ここで、この単管１５のネット部１２への固定作業すなわち単管１５をネット部１２の縁部に固定する作業は防護ネット１０が作業場所に搬入される前に実施されており、搬送中等にネット部１２が互いに絡み合うという事態や、ネット部１２の方向が判別できなくなるという事態が回避されて、作業現場での作業時間の短縮化が図られている。
【００２３】
以上のように、本防護ネット１０では、ネット部１２の垂れ変位を適切な量に保ち作業員等と前記ゴミ箱１４２との衝突を回避しつつ墜落時に作業員等に加えられる衝撃を抑制する。
【００２４】
前記のように構成された防護ネット１０は、４つのクランプ２０と４つのＰＥＴＺＬ社製の商品名「プロトラクション」等からなるセルフジャミングプーリー（滑車）３０と４本の吊りロープ４０とを用いて取り付けられる。
【００２５】
前記クランプ２０は、前記セルフジャミングプーリー３０を固定するためのものである。ここでは、図５に示すように、ボルト２２ｂを有する略コ字型の上部２２と、この上部２２の底部２２ａに固定されたリング状の支持部２４とからなるクランプ２０を用いる。このクランプ２０は、前記上部２２の底部２２ａと前記ボルト２２ｂとの間で対象物を挟み込むことで、クランプ２０をこの対象物に容易に固定することができる。
【００２６】
前記４本の吊りロープ４０は、防護ネット１０を吊り上げるためのロープである。これら４本の吊りロープ４０は、図３に示すように、それぞれ前記単管１５の両端にシャックル１６およびカラビナ１７を介して固定される。
【００２７】
前記セルフジャミングプーリー３０は、図６に示すように、前記クランプ２０に固定されて、前記吊りロープ４０を案内するとともに、この吊りロープ４０を所定の位置で固定するためのものである。このセルフジャミングプーリー３０には、図７に示すように、前記吊りロープ４０を案内する滑車部３２と、挿通された吊りロープ４０の所定の方向への移動を許容する一方この吊りロープ４０を押圧して前記所定の方向の逆方向への移動を規制する規制部３４とが設けられている。この規制は、前記規制部３４を、吊りロープ４０を押圧する方向と逆方向に動かすことで解除することができる。
【００２８】
次に、これらクランプ２０等を用いて前記防護ネット１０を取り付ける手順について説明する。
前述のように、まず、前記防護ネット１０を作業場所に搬入する前に、前記ネット部１２の縁部に単管１５を固定し、ネット部１２を単管１５巻きつけておく。また、前記単管１５の両端に前記シャックル１６を固定しておく。そして、前記ネット部１２をその縁部に固定された単管１５に巻きつけ、このネット部１２を単管１５に巻きつけた状態で防護ネット１０を作業場所であるホーム１１０に搬入する。ここで、前記シャックル１６はホーム１１０上にて単管１５に固定してもよいが、ホーム１１０上での作業時間をより短縮するためには防護ネット１０をホーム１１０へ搬入する前にこれを固定しておくのが好ましい。
その後、ホーム１１０上で、防護ネット１０を展開する。
【００２９】
１）滑車固定工程
この工程は、前記セルフジャミングプーリー３０を前記屋根１２０の近傍に設けられた梁１５０に固定する工程である。
【００３０】
この工程では、まず、前記４つのクランプ２０を前記梁１５０の所定の位置にそれぞれ固定する。具体的には、前記クランプ２０の上部２２の底部２２ａとボルト２２ｂとの間に梁１５０を挿入し、前記ボルト２２ｂを締めることでボルト２２ｂと前記底部２２ａとの間で梁１５０を挟持し、クランプ２０を固定する。次に、前記クランプ２０の支持部２４にカラビナ２５を介して前記セルフジャミングプーリー３０を図６のように固定する。これにより、前記セルフジャミングプーリー３０を梁１５０の所定の位置に固定する。
【００３１】
２）ロープ挿通工程
この工程は、前記吊りロープ４０を前記セルフジャミングプーリー３０に挿通する工程である。
【００３２】
この工程では、前記吊りロープ４０のうち前記防護ネット１０に取り付けられた端部と反対の端部を前記セルフジャミングプーリー３０に挿通する。このとき、防護ネット１０側の端部から反対の端部への方向が、前記セルフジャミングプーリー３０の規制部３４による規制がかかる方向にしておく。
【００３３】
前記滑車固定工程およびロープ挿通工程で行う作業は、いずれも高所で実施せねばならない作業である。しかしながら、これら滑車固定工程およびロープ挿通工程での作業は、ホーム１１０に設置した脚立上で簡単に、かつ、短時間で実施することができるものであり、特殊な作業員でなくとも容易に実施することができる。
【００３４】
ここで、前記ロープ挿通工程を前記滑車固定工程の前に行なうようにしてもよい。すなわち、前記セルフジャミングプーリー３０に予め前記カラビナ１７を取り付けた吊りロープ４０を挿通しておき、この吊りロープ４０が挿通されたセルフジャミングプーリー３０を前記クランプ２０の支持部２４に固定してもよい。このようにすれば、高所での作業時間をより一層短縮することができる。
【００３５】
３）防護ネット吊り上げ工程
この工程は、前記防護ネット１０を吊り上げる工程である。
【００３６】
この工程では、図８に示すように、前記セルフジャミングプーリー３０に挿通された吊りロープ４０を作業者が引き下げることで、前記単管１５を吊り上げる。このとき、単管１５に固定されたネット部１２は単管１５とともに吊り上げられていく。この工程は、ホーム１１０上で行なうことができる。前記防護ネット１０には、４本の吊りロープ４０が取り付けられているが、各吊りロープ４０の引き下げ作業は複数の作業者が同時に行ってもよいし一人の作業者が順次行なってもよい。
【００３７】
ここで、前記ロープ挿通工程にて、前記吊りロープ４０は、防護ネット１０側の端部から反対の端部への方向が前記セルフジャミングプーリー３０の規制部３４による規制がかかる方向に挿通されており、この規制部３４によって吊りロープ４０の防護ネット１０側への移動は規制されている。そのため、前記吊りロープ４０は引き下げられると同時に引き下げられた位置で固定されることになる。したがって、本実施形態では、前記防護ネット吊り上げ工程と同時に、前記吊りロープ４０を固定して防護ネット１０を所定の位置に固定するためのロープ固定工程を行い、各吊りロープ４０をそれぞれ所定の位置まで引き下げることで防護ネット１０を所定の張設場所に張設する。
【００３８】
このようにして、図２等に示すように、４隅が吊りロープ４０等を介して前記梁１５０に支持された状態で防護ネット１０を屋根１２０の下方に張設する。この状態において、防護ネット１０は、４本の吊りロープ４０のみで吊り下げられているにも関わらず、その二辺が前記単管１５にそれぞれ支持されることで弛みが抑制された状態で張設される。
【００３９】
以上のように、本実施形態では、高所での作業時間を短縮しつつ簡単に防護ネット１０を張設することができる。特に、前記規制部３４が設けられたセルフジャミングプーリー３０を用いることで、前記吊りロープ４０を別途固定する手間が省略でき作業効率が向上する。
【００４０】
そして、このようにして屋根１２０の下方に防護ネット１０が張設されれば、スレートの葺き替え作業時に作業員が誤って墜落した場合にも、作業員を防護ネット１０で保護することができる。特に、前記のように防護ネット１０に単管１５が固定されていることで、ネット部１２に加えて各単管１５が墜落時の衝撃を吸収し、作業者をより確実に保護することが可能になるとともにネット部１２の破損が抑制される。さらに、前記のように構成されたネット部１２を用いることで、駅舎１００の屋根１２０での作業のように地面等との距離が短い場所でも、作業員等と地面等との衝突を回避しつつ墜落時の衝撃を抑制することができる。
【００４１】
例えば、前記ネット部１２が、素材：ポリエチレン１００％のモノフィラメント、網地の太さ：４４０ｄｔｅｘ／６０本、網地強さ：８９５Ｎの３ｍ×３．３ｍの網であり、前記補強ロープ１３ａ、１３ｂが、素材：再生ポリエステル１００％、編み方：三つ打ち、直径：９ｍｍ、引っ張り強さ：１８．１ｋＮのロープであって互いに５００ｍｍ間隔で編みこまれており、前記単管１５が直径：４８．６ｍｍ、厚さ２．４ｍｍ、長さ：３．３ｍ、ＪＩＳ  Ａ  ８９５１の引張強度：３７０Ｎ／ｍｍ２のパイプであり、前記綿ロープ１４が、素材：綿１００％、編み方：三つ打ち、直径：９ｍｍ、引っ張り強さ：４．６ｋＮのロープで構成された防護ネット１０を、素材：再生ポリエステル１００％、編み方：三つ打ち、直径：１２ｍｍ、引っ張り強さ：２８．９ｋＮの吊りロープ４０、を用いて張設したものに対し、９０ｋｇの錘を防護ネット１０の最上点より１．５ｍ上方から落下させる実験を行なった結果、前記垂れ変位を０．９ｍ程度に抑えつつ減速度を６０ｍ／ｓ２程度に抑えることが確認された。この実験において、前記クランプ２０については、強度試験認定基準２１．１ｋＮを満足するコ型クランプを、前記カラビナ１７については、アルミ合金製の縦軸強度２３ｋＮのカラビナを、前記シャックル１６については、ステンレス製の直径１２ｍｍのネジシャックルを、前記セルフジャミングプーリー３０については、アルミニウム製の運用荷重６ｋＮ、破断強度２２ｋＮの前記ＰＥＴＺＬ社製の商品名「プロトラクション」をそれぞれ用いた。
【００４２】
次に、張設された前記防護ネット１０等を取り外す際の手順について説明する。
【００４３】
まず、前記セルフジャミングプーリー３０の規制部３４をロープの押圧方向と逆方向に動かし吊りロープ４０の固定状態を解除する。吊りロープ４０の固定状態が解除されると、前記防護ネット１０はその自重により下方に下りていく。防護ネット１０がホーム１１０等に下りた後は、前記クランプ２０のボルト２２ｂを緩めてこのクランプ２０およびクランプ２０に固定されているセルフジャミングプーリー３０を梁１５０から取り外せば、防護ネット１０に関する取り外し作業は終了する。この取り外し作業においては、前記セルフジャミングプーリー３０の操作と、前記クランプ２０の取り外し作業のみを高所で実施すれば、その他の作業は全てホーム１１０上で行なうことができる。
【００４４】
このように、本実施形態によれば、防護ネット１０の取り付けおよび取り外しを容易に行うことができ、電車が通過しないわずかな時間で全ての作業を行わねばならない駅舎１００での作業等においても、防護ネット１０を適切に設置することができる。特に、高所での作業時間が短く、かつ、作業内容が簡単であるので、高所作業を実施できる特殊な作業員を確保する必要がなくなり、コスト面でも有利となる。
また、単管１５によって前記ネット部１２が支持されていることで、前記ネット部１２の弛みを抑制することができる。そのため、単管１５を設けない場合に比べて、より少ない吊りロープ４０で防護ネット１０を張設することができ作業効率を高めることができるとともに、作業員等の墜落時において、単管１５がその衝撃を吸収するとともにこの衝撃を分散させるので、ネット部１２の垂れ変位や破損を抑制することが可能となる。
また、前記セルフジャミングプーリー３０が規制部３４を有していることで、吊りロープ４０の吊り下げと同時に吊りロープ４０の固定が可能となり、かつ、吊りロープ４０を固定するためのロープワーク等を省略することができることで作業効率を高めることができるとともに、吊りロープ４０を固定するための支柱１３０等がない場所においても防護ネット１０を張設することが可能になる。
【００４５】
ここで、前記防護ネット１０の取り付け場所等は前記駅舎１００に限らない。また、防護ネット１０の具体的な材質等は前記に限らない。但し、防護ネット１０を前記のように構成すれば、防護ネット１０の設置場所と地面等との距離が短い場合においても、作業員等と地面との衝突を回避しつつ墜落時に作業員等に加えられる衝撃をより確実に抑制することができる。
【００４８】
また、前記セルフジャミングプーリー３０を固定する方法は前記に限らない。例えば、前記クランプ２０を省略し、セルフジャミングプーリー３０を直接梁１５０等に固定してもよい。あるいは、梁１５０等に設けられた孔にカラビナ等を介して固定してもよい。
【図面の簡単な説明】
【００４９】
【図１】本発明の実施形態にかかる防護ネットが張設された状態を示す概略図である。
【図２】図１に示す防護ネットが張設された状態を示す概略図である。
【図３】図１に示す防護ネットの上面図である。
【図４】（ａ）図１に示す防護ネットの詳細を示す拡大図である。（ｂ）図１に示す防護ネットの詳細を示す拡大図である。（ｃ）図１に示す防護ネットの補強ロープの詳細を示す概略断面図である。
【図５】本発明の実施形態にかかる防護ネットの施工方法において使用するクランプの概略斜視図である。
【図６】本発明の実施形態にかかる防護ネットの施工方法において使用するセルフジャミングプーリーの概略斜視図である。
【図７】図６に示すセルフジャミングプーリーの機構を説明するための説明図である。
【図８】図１に示す防護ネットの取り付け方法を説明するための説明図である。
【符号の説明】
【００５０】
１０  防護ネット
１２  ネット部
１３ａ  横補強ロープ（補強ロープ）
１３ｂ  縦補強ロープ（補強ロープ）
１５  単管（支持部材）
２０  クランプ
３０  セルフジャミングプーリー（滑車）
３４  規制部
４０  吊りロープ
１００  駅舎
１１０  ホーム
１２０  屋根
１５０  梁
【図１】
0004714203.tif 000002
【図２】
0004714203.tif 000003
【図３】
0004714203.tif 000004
【図４】
0004714203.tif 000005
【図５】
0004714203.tif 000006
【図６】
0004714203.tif 000007
【図７】
0004714203.tif 000008
【図８】
0004714203.tif 000009